(57)【要約】【課題】筐体のフロントパネルとディスクトレイとの間にディスクが挟まれてしまっても、ディスクに傷や変形が生じないようにする。【解決手段】ディスク２がディスクトレイ１とフロントパネル１２ａとの間に挟まれた場合を想定し、そのような場合であってもディスクに変形や損傷が生じないようにするために、ディスクを保護するためのトレイ側保護部１４ａと、フロントパネル側保護部１４ｂとが設けられている。これら各保護部１４ａ，１４ｂは、ディスク２を構成する材料よりも柔らかい（硬さ値が低い）材料で形成される。これにより、各保護部１４ａ，１４ｂに対してディスクが当接したような場合であっても、各保護部１４ａ，１４ｂが変形してディスク２の変形や損傷を生じさせないようにすることができる。【選択図】図１
2006048872.tif 000002
【特許請求の範囲】
【請求項１】
ディスク型記録媒体を乗せる凹部を備えたディスクトレイと、該ディスクトレイのローディング／イジェクト動作を行うメカユニットとを有するディスクトレイ装置において、
前記ディスクトレイの凹部の周囲の少なくとも一部に、ディスク型記録媒体よりも硬さの小さい材料による保護部を設けたことを特徴とするディスクトレイ装置。
【請求項２】
請求項１に記載のディスクトレイ装置において、該ディスクトレイ装置は、前記メカユニットを収容し、前記ディスクトレイのローディング／イジェクト動作に応じて該ディスクトレイが進退する開口部を備えた筐体を有し、前記筐体の前記開口部の周囲の少なくとも一部に、ディスク型記録媒体よりも硬さの小さい材料による保護部を設けたことを特徴とするディスクトレイ装置。
【請求項３】
請求項１または２に記載のディスクトレイ装置において、該ディスクトレイに乗せるディスク型記録媒体の記録面が水平になるように設置したときに、前記ディスクトレイに設けた前記保護部は、該保護部を除く凹部周囲の高さよりも高くなるように形成されていることを特徴とするディスクトレイ装置。
【請求項４】
請求項３に記載のディスクトレイ装置において、前記ディスク型記録媒体の材料はポリカーボネートであり、前記ディスクトレイに形成された保護部及び前記筐体に形成された保護部は、ポリカーボネートより硬さの小さい材料であることを特徴とするディスクトレイ装置。
【請求項５】
請求項４に記載のディスクトレイ装置において、前記ディスクトレイに形成された保護部及び前記筐体に形成された保護部の材料は、エラストマーであることを特徴とするディスクトレイ装置。
【発明の詳細な説明】
【技術分野】
【０００１】
本発明は、ディスクトレイ装置、より詳細には、光ディスク等のディスク型記録媒体の記録再生を行うためのディスクトレイ装置において、光ディスク等に傷が付くことを防止するための技術に関するものである。
【背景技術】
【０００２】
図４は、従来のディスクトレイ装置の一例を説明するための斜視概略図で、図中、１はディスクトレイ装置、２は光ディスク等のディスク型記録媒体（以下ディスクとする）、１１はディスクトレイ、１１ａはディスクを置くためのディスクトレイの凹部、１２は筐体である。
ＣＤやＤＶＤ等のディスク状の記録媒体を利用して、情報の記録及び再生を行うディスクトレイ装置が普及している。一般にディスクトレイ装置は、図４に示すように装置単体で提供されるか、もしくは、ＤＶＤやＣＤのプレイヤー、あるいはパソコン等に内蔵されて提供される。
【０００３】
図４に示すディスクトレイ装置１は、筐体１２に対して進退動作（ローディング／イジェクト動作）を行うディスクトレイ１１を有している。ディスクトレイ１１が筐体１２から引き出された状態（イジェクト状態）で、ユーザがディスクトレイ１１の凹部１１ａにディスク２を置き、ローディング動作を行うことで、ディスクトレイ１１が筐体１２の内部に引き込まれ、ディスク２からの情報の読み取りやディスク２への情報の記録を行うことができるようになる。
【０００４】
図５は、従来のディスクトレイ装置の構成例をより詳細に説明するための図で、ディスクトレイ装置の平面概略図を図５（Ａ）に、筐体内部に装填されたディスクトレイ装置の要部側断面略図を図５（Ｂ）に示すものである。図５において、１２ａは筐体のフロントパネル、１３はメカユニット、１５はディスクトレイを進退させるために筐体に形成される開口部である。
【０００５】
ユーザによるイジェクトボタンの操作や、ディスクトレイ１１に対するユーザによる押圧動作、あるいは装置本体への所定の操作に応じて、メカユニット１３が動作し、ディスクトレイ１１が、筐体１２の内部のメカユニット１３と筐体１２の外部との所定の位置間を進退する動作（ローディング動作／イジェクト動作）を行う。ディスク２をディスクトレイ装置１に装填する際、ユーザは、イジェクト動作により筐体１２の外部位置にディスクトレイ１１を移動させ、そのディスクトレイ１１の凹部１１ａに所望のディスク２を乗せる。図５は、このときのイジェクトされたディスクトレイ装置１の状態を示している。
【０００６】
そして図５の状態から、ディスクトレイ１１をローディングさせて筐体１２の内部に移動させる。筐体１２の内部では、ディスク２はメカユニット１３の内部の所定位置に装填される。このときにディスク２は、ディスクトレイ１１の凹部１１ａに乗せられたまま水平に移動し、フロントパネル１２ａに形成された開口部１５を通過した後、メカユニット１３に装填されるようになっている。
【０００７】
上記のようなディスクトレイに関わる従来の技術として、例えば、特許文献１には、ディスクトレイの上面に脱着可能または開閉可能なカバーを設けるとともに、ディスクトレイとカバーにより、ディスクトレイの側面にディスクを挿入可能にする長方形の穴を設け、ディスクトレイを垂直に使用する際にはその穴よりディスクを出し入れし、ディスクトレイを水平に使用する際は、ディスクトレイ凹部に設けたストッパーでディスクを左右方向に保持するようにしたディスクトレイ装置が開示されている。
そして特許文献１には、上記のような構成によって、ディスク装置の水平使用と垂直使用との両用を可能とするとともに、垂直使用時にディスクを持ち上げるリフターを設けることによってディスクの出し入れを容易にするという効果が得られる旨が記載されている。
【０００８】
上述のごとくのディスクトレイ装置において、ディスクトレイ１１がローディング動作を行うに際して、ディスクトレイ１１の凹部１１ａの所定位置にディスク２が乗せられていれば通常問題は発生しないが、ディスクトレイ１１の凹部１１ａの所定位置にうまくディスク２が乗せられていない場合などに、ディスク２がディスクトレイ１１とフロントパネル１２ａとの間に挟まれてしまうという問題が生じる。
【０００９】
図６及び図７は、ディスクトレイのローディング動作おいて発生するディスクのトラブルについて説明するための図で、ディスクトレイ１１が筐体１２の外部に引き出されたときの状態を図６に、ディスクトレイ１１が筐体１２の外部から内部へ移動するときの途中の状態を図７に示すものである。
【００１０】
上述したごとくに、ディスク２をディスクトレイ装置１の内部に装填してデータの記録／再生を行う場合、ユーザは、まずディスクトレイ１１をイジェクトさせて筐体１３の外部に引き出し、ディスクトレイ１１の凹部１１ａに目的の光ディスクを乗せる（図６）。そしてディスクトレイ１１をローディングして筐体１２の内部に移動させ、ディスク２の装填を行う。
このときに、ユーザの不注意等によって、ディスクトレイ１１の凹部１１ａの所定位置にディスク２を乗せることができなかったような場合、例えば、図６のように、凹部１１ａの周囲の部分にディスク２が乗り上げたような状態でディスクが置かれた場合、そのままディスクトレイ１１がローディングの動作を開始してしまうと、図７に示すように、ディスクトレイ１１の移動途中でディスク２がフロントパネル１２ａとディスクトレイ１１との間に挟まれてしまうことがある。
【００１１】
上記のように、ディスク２がディスクトレイ１１とフロントパネル１２ａとの間に挟まれてしまうと、下記のような不具合が発生する可能性がある。
（１）ディスク２の記録面側の表面に傷が付いてしまい、記録／再生時の信号が劣化して正常に記録／再生ができなくなってしまう。
（２）長時間にわたり、ディスク２がディスクトレイ１１とフロントパネル１２ａとの間に挟まれたまま放置されると、ディスク２の表面が変形してしまい、記録再生時の信号が劣化して正常に記録再生ができなくなってしまう。
（３）ディスク２のレーベル面に傷がついてしまい、外観意匠性を損なってしまう。
【特許文献１】特開平０８−２７３２６５号公報
【発明の開示】
【発明が解決しようとする課題】
【００１２】
上記特許文献１の発明は、ディスクトレイを水平及び垂直のいずれにおいても使用できるように構成し、かつディスクの出し入れを容易にするための構成を提供するものであるが、上述のように、ディスクを所定位置に配置しない状態でディスクトレイをローディングしたときの対策については、何ら考慮されたものではない。人間の不注意というものは必然的に発生するものであり、ディスクトレイの凹部の所定位置にディスクを乗せなかった場合であっても、ディスクの破損や変形等を起こすことのない本質的な対策が必要となる。
【００１３】
本発明は、上述のごとき実情に鑑みてなされたもので、ディスクトレイのローディング動作中に、筐体のフロントパネルとディスクトレイとの間にディスクが挟まれてしまっても、ディスクに傷や変形が生じることなく、ディスクの記録再生特性の低下や外観特性の劣化等が発生することのないディスクトレイ装置を提供することを目的とするものである。
【課題を解決するための手段】
【００１４】
上記課題を解決するために、第１の技術手段は、ディスク型記録媒体を乗せる凹部を備えたディスクトレイと、ディスクトレイのローディング／イジェクト動作を行うメカユニットとを有するディスクトレイ装置において、ディスクトレイの凹部の周囲の少なくとも一部に、ディスク型記録媒体よりも硬さの小さい材料による保護部を設けたことを特徴としたものである。
【００１５】
第２の技術手段は、第１の技術手段において、ディスクトレイ装置が、メカユニットを収容し、ディスクトレイのローディング／イジェクト動作に応じてディスクトレイが進退する開口部を備えた筐体を有し、筐体の開口部の周囲の少なくとも一部に、ディスク型記録媒体よりも硬さの小さい材料による保護部を設けたことを特徴としたものである。
【００１６】
第３の技術手段は、第１または第２の技術手段において、ディスクトレイに乗せるディスク型記録媒体の記録面が水平になるように設置したときに、ディスクトレイに設けた保護部は、保護部を除く凹部周囲の高さよりも高くなるように形成されていることを特徴としたものである。
【００１７】
第４の技術手段は、第３の技術手段において、ディスク型記録媒体の材料はポリカーボネートであり、ディスクトレイに形成された保護部及び筐体に形成された保護部は、ポリカーボネートより硬さの小さい材料であることを特徴としたものである。
【００１８】
第５の技術手段は、第４の技術手段において、ディスクトレイに形成された保護部及び筐体に形成された保護部の材料が、エラストマーであることを特徴としたものである。
【発明の効果】
【００１９】
本発明によれば、ディスクを乗せたディスクトレイのローディング動作を行う際、ディスクがフロントパネルとディスクトレイとの間に挟まれても、ディスクに傷や変形が生じることがないので、ディスクの記録再生特性の低下を抑えることができる。またディスクのレーベル面に傷や汚れを付けることがないので、ディスクの外観特性の劣化を防止することができる。
【発明を実施するための最良の形態】
【００２０】
以下に本発明の実施の形態を添付された図面を参照して具体的に説明する。なお、実施例を説明するための全図において、本発明を特徴付ける部分を除いて従来例を説明する図と同じ符号を付けてある。
図１は、本発明のディスクトレイ装置の一実施例を説明するための図で、ディスクトレイ装置の平面概略図を図１（Ａ）に、筐体内部に装填されたディスクトレイ装置の要部側断面略図を図１（Ｂ）に示すものである。図１において、１４ａはトレイ側保護部、１４ｂはフロントパネル側保護部である。
【００２１】
ユーザによるイジェクトボタンの操作や、該ディスクトレイ１１に対するユーザによる押圧動作、あるいは装置本体への所定の操作に応じて、メカユニット１３が動作し、ディスクトレイ１１が、筐体１２の内部のメカユニット１３と筐体１２の外部との所定の位置間を進退する動作（ローディング動作／イジェクト動作）を行う。ディスク２をディスクトレイ装置１に装填する際、ユーザは、イジェクト動作により筐体１２の外部位置にディスクトレイ１１を移動させ、そのディスクトレイ１１の凹部１１ａに所望のディスク２を乗せる。図１は、このときのイジェクトされたディスクトレイ装置の状態を示している。
【００２２】
そして図１の状態から、ディスクトレイ１１をローディングさせて筐体１２の内部に移動させる。筐体１２の内部では、ディスク２はメカユニット１３の内部の所定位置に装填される。このときにディスク２は、ディスクトレイ１１の凹部１１ａに乗せられたまま水平に移動し、フロントパネル１２ａに形成された開口部１５を通過した後、メカユニット１３に装填されるようになっている。
【００２３】
このときに、上述したごとくのディスク２がディスクトレイ１１とフロントパネル１２ａとの間に挟まれた場合を想定し、そのような場合であってもディスク２に変形や損傷が生じないようにするために、ディスク２を保護するためのトレイ側保護部１４ａと、フロントパネル側保護部１４ｂとが設けられている。
【００２４】
トレイ側保護部１４ａは、ディスクトレイ１１の凹部１１ａの周囲の少なくとも一部に設けられるもので、好ましくは、凹部１１ａの手前側（ディスクトレイ１１が筐体１２内に装填されたときの装置正面側）の周囲に配設される。ディスクトレイの凹部１１ａからディスク２が外れる場合は、通常、凹部１１ａの手前側周囲の部分にディスク２が乗り上げたような状態でディスクが置かれる状態となることから、トレイ側保護部１４ａを凹部１１ａの手前側周囲に設けるようにする。
【００２５】
フロントパネル側保護部１４ｂは、筐体１２の開口部１５の周囲の少なくとも一部に設けられるが、好ましくは、開口部１５の上側周囲の壁部となる部分に設けるようにする。ここでは、ディスク２がディスクトレイ１１とフロントパネル１２ａとの間に挟まれた場合に、フロントパネル１２ａがディスク２に当接する部分において、フロントパネル１２ａの構成部材をフロントパネル側保護部１４ｂに置き換える。
【００２６】
上記のトレイ側保護部１４ａと、フロントパネル側保護部１４ｂとは、ディスク２を構成する材料よりも柔らかい（硬さが小さい）材料で形成される。これにより、各保護部１４ａ，１４ｂに対してディスクが当接したような場合であっても、各保護部１４ａ，１４ｂが変形してディスク２の変形や損傷を生じさせないようにすることができる。
【００２７】
図２及び図３は、ディスクトレイのローディング動作においてディスクのトラブルが発生したときの状態について説明するための図で、ディスクトレイ１１が筐体１２の外部に引き出されたときの状態を図２に、ディスクトレイ１１が筐体１２の外部から内部へ移動するときの途中の状態を図３に示すものである。
【００２８】
図２のように、ユーザの不注意等によって、ディスクトレイ１１の凹部１１ａの所定位置にディスク２を乗せることができなかったような場合、そのままディスクトレイ１１がローディングの動作を開始してしまうと、図３のように、ディスクトレイ１１の移動途中でディスク２がフロントパネル１２ａとディスクトレイ１１との間に挟まれてしまう。
【００２９】
このときに、ディスク２がフロントパネル１２ａとディスクトレイ１１との間に挟まれる部分である、フロントパネル１２ａの開口部１５の周囲にディスク２より柔らかい素材によるフロントパネル側保護部１４ｂが設けられているため、上記のようなディスク２が挟まれるような状態になっても、挟まれた部分におけるディスク２の傷や変形を防止することができる。
【００３０】
また上記のように凹部１１ａの手前側にディスク２が乗り上げた状態で、ディスクトレイ１１とフロントパネルと１２ａとの間にディスク２が挟まれた場合に、ディスク２に当接する領域にトレイ側保護部１４ａが設けられているため、ディスクトレイ１１側におけるディスク２の傷や変形を防止することができる。
【００３１】
また、トレイ側保護部１４ａは、ディスクトレイ１１の凹部１１ａが形成される凹部１１ａの周囲の領域（トレイ側保護部１４ａを除く凹部１１の周囲の領域）の上面よりも、その高さが高くなるように形成されている。
このような構成により、ディスク２がディスクトレイ１１とフロントパネル１２ａとの間に挟まれて、トレイ側保護部１４ａがディスク２に押されて圧縮変形した場合であっても、ディスク２がトレイ側保護部１４ａ周囲の硬い部分に接触しないようにすることができる。
【００３２】
上記トレイ側保護部１４ａ，及びフロントパネル側保護部１４ｂは、ディスク２より柔らかい材料によって形成されるが、材料の柔らかさについては、硬さ試験の計測値から判断することができる。ＪＩＳ規格では、物体の硬軟の程度を判断する指標として“硬さ”が用いられる。
【００３３】
記録媒体としてのディスクは、代表的には、ポリカーボネート等の樹脂素材による光ディスクが一般的である。これに対して、各保護部１４ａ，１４ｂについても、ディスク材料よりも柔らかい樹脂材料を用いることが好適である。
硬さを評価する場合、物体の局所的な部分に強い力を加え、その変形度合いを見ることで評価できる。樹脂表面の硬さを評価する方法には、ロックウェル硬さやショアー硬さを用いることができる。ロックウェル硬さは、鋼球圧子を一定の荷重で押しつけ、できたくぼみの深さにより硬さを評価する。またショアー硬さは針状圧子を用いて硬さを評価する。またこの他、デューロメータ硬さや、国際ゴム硬さ（ＩＲＨＤ）を用いることもできる。
【００３４】
上記のごとくの硬さ評価に従って、本発明の各保護部１４ａ，１４ｂには、使用するディスクより柔らかい（硬さの計測値が小さい）材料を使用する。
例えば、各保護部１４ａ，１４ｂの材料として、ポリカーボネートを用いたディスクが当接したときに、相対的に大きな弾性変形が生じるエラストマーを好適に用いることができる。
【００３５】
エラストマーとしては、例えば、天然ゴム、スチレン−ブタジエンゴム、ハイスチレンゴム、ブタジエンゴム、イソプレンゴム、エチレン−プロピレンゴム、ニトリルゴム、クロロプレンゴム、ブチルゴム、シリコーンゴム、フッ素ゴム、ウレタンゴム、アクリルゴム、エピクロロヒドリンゴム、ノルボルネンゴム、エチレン−アクリルゴム、クロロスルホン化ポリエチレン、塩素化ポリエチレン、多硫化ゴム及びホスファゼンゴム等のゴム類、ポリスチレン系、ポリオレフィン系、ポリウレタン系、ポリ塩化ビニル系、天然ゴム系、フッ素ゴム系、トランス−ポリイソプレン系、塩素化ポリエチレン系等の熱可塑性エラストマー類等があげられる。
【００３６】
勿論、各保護部１４ａ，１４ｂについては、エラストマーに限定されることなく、ディスクより柔らかい材料を適宜用いることができる。例えば、発泡樹脂等を適宜用いることができる。また、各保護部１４ａ，１４ｂの表面と内部とを異なる材料を用いて形成してもよい。
また、各保護部１４ａ，１４ｂの表面と、当接するディスク２との摩擦係数を下げるために、各保護部１４ａ，１４ｂの表面粗度を粗くしてもよく、またワックス等の潤滑剤を塗布したり、低摩擦係数の皮膜を形成しておいてもよい。
【００３７】
また、上述の実施例では、ディスクトレイ１１にディスク２を水平に置くようにした構成例を説明したが、ディスク２を垂直方向に設置する縦置きタイプに適用してもよい。例えば、縦置きの場合に、ローディング時にディスク２がディスクトレイ１１から脱落して、筐体１２とディスクトレイ１１との間にディスク２が挟まれた場合でも、ディスク２を保護できるように、筐体１２の開口部周囲及びディスクトレイ１１のディスクの設置部周囲に保護部を設けるようにすればよい。
【図面の簡単な説明】
【００３８】
【図１】本発明のディスクトレイ装置の一実施例を説明するための図である。
【図２】ディスクトレイのローディング動作においてディスクのトラブルが発生したときの状態について説明するための図である。
【図３】ディスクトレイのローディング動作においてディスクのトラブルが発生したときの状態について説明するための他の図である。
【図４】従来のディスクトレイ装置の一例を説明するための斜視概略図である。
【図５】従来のディスクトレイ装置の構成例をより詳細に説明するための図である。
【図６】ディスクトレイのローディング動作おいて発生するディスクのトラブルについて説明するための図である。
【図７】ディスクトレイのローディング動作おいて発生するディスクのトラブルについて説明するための他の図である。
【符号の説明】
【００３９】
１…ディスクトレイ装置、２…光ディスク、１１…ディスクトレイ、１１ａ…凹部、１２…筐体、１２ａ…フロントパネル、１３…メカユニット、１４ａ…トレイ側保護部、１４ｂ…フロントパネル側保護部、１５…開口部。
【図１】
2006048872.tif 000003
【図２】
2006048872.tif 000004
【図３】
2006048872.tif 000005
【図４】
2006048872.tif 000006
【図５】
2006048872.tif 000007
【図６】
2006048872.tif 000008
【図７】
2006048872.tif 000009